(57)【要約】【課題】ネジを用いることなく紙幣識別装置を容易に着脱することのできる自動販売機のリーダライタユニットを提供する。【解決手段】リーダライタユニット１０のユニット本体１１に紙幣識別装置２０に着脱自在に係合する一対の係合部材１６を設け、紙幣識別装置２０を各係合部材１６との係合によりユニット本体１１に装着するようにしたので、ネジを用いることなく紙幣識別装置２０を着脱することができ、例えば紙幣識別装置２０を交換する場合には、紙幣識別装置２０の着脱作業を極めて容易に行うことができる。その際、ユニット本体１１を外扉２に取付けたまま紙幣識別装置２０を着脱することができるので、従来のようにネジを外すとユニット本体も外扉から外れるといった不具合を生ずることがなく、作業を煩雑化させることがないという利点がある。【選択図】図８
2007172109.tif 000002
【特許請求の範囲】
【請求項１】
自動販売機の外扉の内側に取付けられるユニット本体と、外部の記憶媒体との間で金銭情報の読み書きを行うリーダライタと、内部にリーダライタが配置され、外扉に設けた所定の開口部から外扉の外側に突出する中空状のカバー部とを備え、ユニット本体の背面側に紙幣識別装置を装着可能に構成された自動販売機のリーダライタユニットにおいて、
前記ユニット本体に紙幣識別装置に係合可能な係合部を設け、紙幣識別装置を係合部との係合によりユニット本体に装着可能に構成した
ことを特徴とする自動販売機のリーダライタユニット。
【請求項２】
前記係合部を有するとともに、ユニット本体に所定方向に移動自在に設けられた係合部材と、
係合部材を紙幣識別装置との係合方向に付勢する付勢部材とを備えた
ことを特徴とする請求項１記載の自動販売機のリーダライタユニット。
【請求項３】
前記紙幣識別装置に前方に向かって延設された紙幣挿入部を挿通する開口部をカバー部の下方に設けた
ことを特徴とする請求項１または２記載の自動販売機のリーダライタユニット。
【請求項４】
前記紙幣挿入部用の開口部を閉鎖可能な閉鎖部材を備えた
ことを特徴とする請求項３記載の自動販売機のリーダライタユニット。
【請求項５】
前記カバー部内にリーダライタの回路基板を配置した
ことを特徴とする請求項１、２、３または４記載の自動販売機のリーダライタユニット。
【請求項６】
前記カバー部内の背面側に電磁波遮断用のシールド部材を設けた
ことを特徴とする請求項１、２、３、４または５記載の自動販売機のリーダライタユニット。
【請求項７】
前記ユニット本体にリーダライタ用の制御基板を取付けた
ことを特徴とする請求項１、２、３、４、５または６記載の自動販売機のリーダライタユニット。
【発明の詳細な説明】
【技術分野】
【０００１】
本発明は、例えばＩＣチップを備えたカードや携帯電話機を用いて商品を購入可能な自動販売機のリーダライタユニットに関するものである。
【背景技術】
【０００２】
従来、この種のリーダライタユニットとしては、自動販売機の外扉の内側に取付けられるユニット本体と、外扉に設けた所定の開口部から外扉の外側に突出するようにユニット本体に設けられたフロントカバー部と、フロントカバー部内に設けられたリーダライタとを備え、ユニット本体の背面側には紙幣識別装置が装着されたものが知られている（例えば、特許文献１参照。）。
【０００３】
このリーダライタユニットを備えた自動販売機では、フロントカバー部のリーダライタによって利用者のＩＣカードに金銭情報の読み書きを行うことにより、現金を使わずに商品を購入することができる。また、紙幣を使用する場合は、リーダライタユニットに設けられた紙幣挿入口を介して紙幣識別装置に紙幣を挿入することにより、現金によって商品を購入することもできる。
【特許文献１】特開２００１−１２６１２１号公報
【発明の開示】
【発明が解決しようとする課題】
【０００４】
ところで、前記リーダライタユニットでは、紙幣識別装置がユニット本体と共にネジ止めによって自動販売機の外扉に取付けられているため、紙幣識別装置を交換する場合や紙幣識別装置が不要になった場合など、紙幣識別装置をユニット本体から取外す際にネジを外す作業が必要となり、しかもネジを外すとユニット本体も外扉から外れてしまうため、再度ユニット本体を外扉にネジ止めしなければならず、紙幣識別装置の着脱作業が煩雑になるという問題点があった。
【０００５】
本発明は前記問題点に鑑みてなされたものであり、その目的とするところは、ネジを用いることなく紙幣識別装置を容易に着脱することのできる自動販売機のリーダライタユニットを提供することにある。
【課題を解決するための手段】
【０００６】
本発明は前記目的を達成するために、自動販売機の外扉の内側に取付けられるユニット本体と、外部の記憶媒体との間で金銭情報の読み書きを行うリーダライタと、内部にリーダライタが配置され、外扉に設けた所定の開口部から外扉の外側に突出する中空状のカバー部とを備え、ユニット本体の背面側に紙幣識別装置を装着可能に構成された自動販売機のリーダライタユニットにおいて、前記ユニット本体に紙幣識別装置に係合可能な係合部を設け、紙幣識別装置を係合部との係合によりユニット本体に装着可能に構成している。
【０００７】
これにより、紙幣識別装置が係合部との係合によりユニット本体に装着されることから、ネジを用いることなく紙幣識別装置を着脱することができるとともに、ユニット本体を外扉に取付けたまま紙幣識別装置を着脱することができるので、従来のようにネジを外すとユニット本体も外扉から外れるといった不具合を生ずることがない。
【発明の効果】
【０００８】
本発明のリーダライタユニットによれば、ネジを用いることなく紙幣識別装置を着脱することができるので、例えば紙幣識別装置を交換する場合には、紙幣識別装置の着脱作業を極めて容易に行うことができる。その際、ユニット本体を外扉に取付けたまま紙幣識別装置を着脱することができるので、従来のようにネジを外すとユニット本体も外扉から外れるといった不具合を生ずることがなく、作業を煩雑化させることがないという利点がある。
【発明を実施するための最良の形態】
【０００９】
図１乃至図９は本発明の一実施形態を示すもので、図１はリーダライタユニットを備えた自動販売機の正面図、図２はリーダライタユニット及び紙幣識別装置の斜視図、図３はその一部断面側面図、図４はリーダライタユニットのブロック図、図５は外扉への取付工程を示す一部断面側面図、図６はその取付状態を示す一部断面側面図、図７は紙幣識別装置の装着工程を示す一部断面側面図、図８はその装着状態を示す一部断面側面図、図９は閉鎖部材を取付けた状態を示す一部断面側面図である。
【００１０】
同図に示す自動販売機は、前面を開口した自動販売機本体１と、自動販売機本体１の前面を開閉する外扉２とを備え、外扉２には、商品サンプル２ａ、商品選択スイッチ２ｂ、金額表示部２ｃ、硬貨投入口２ｄ、硬貨返却口２ｅ及び商品取出口２ｆが設けられている。この自動販売機では、自動販売機本体１内に設けた商品収納コラム（図示せず）に商品が収納され、商品選択スイッチ２ｂの操作により、商品取出口２ｆに商品を搬出するようになっている。
【００１１】
また、前記自動販売機は、外部の記憶媒体としてのＩＣカードに金銭情報の読み書きを行うためのリーダライタユニット１０を備え、リーダライタユニット１０には紙幣識別装置２０が着脱自在に装着されるようになっている。尚、金銭情報の読み書きを行う記憶媒体としては、携帯電話機に搭載されたＩＣチップであってもよい。
【００１２】
リーダライタユニット１０は、外扉２の内側に取付けられるユニット本体１１と、ユニット本体１１の前面上部に取付けられたフロントカバー１２と、フロントカバー１２内に設けられたリーダライタ１３と、フロントカバー１２に設けられた表示器１４と、リーダライタ１３及び表示器１４を制御する制御基板１５と、紙幣識別装置２０に着脱自在に係合する上下一対の係合部材１６とを備えている。
【００１３】
ユニット本体１１は平板状の部材からなり、紙幣識別装置２０の前面とほぼ同等の大きさに形成されている。ユニット本体１１の上端及び下端には外扉２に取付けるための取付片１１ａが設けられ、各取付片１１ａの幅方向両端にはネジ挿通孔１１ｂが設けられている。また、ユニット本体１１には紙幣識別装置２０の紙幣投入部を挿通する開口部１１ｃが設けられている。
【００１４】
フロントカバー１２は、背面側を開口した中空状のカバー部１２ａと、カバー部１２ａの背面側開口部の周囲に形成されたフランジ部１２ｂとからなり、カバー部１２ａは外扉２に設けた開口部２ｇから外扉２の外側に突出するようになっている。フロントカバー１２内の背面側には電磁波遮断用のシールド部材１７が設けられ、シールド部材１７は磁性体シートやフェライトシート等の非導電性部材によって形成されている。また、カバー部１２ａの下方のフランジ部１２ｂには紙幣識別装置２０の紙幣挿入部２２を挿通する開口部１２ｃが設けられ、開口部１２ｃは着脱自在な蓋状の閉鎖部材１２ｄによって閉鎖可能になっている。
【００１５】
リーダライタ１３は、フロントカバー１２内の前面側下部に設けられたアンテナ１３ａと、アンテナ１３ａに接続された回路基板１３ｂとからなり、アンテナ１３ａを介してＩＣカードとの間でデータの送受信を行うようになっている。この場合、アンテナ１３ａ及び回路基板１３ｂはシールド部材１７の前方に配置されている。
【００１６】
表示器１４は所定の文字情報を前面の液晶表示部に表示する周知の機器からなり、フロントカバー１２の上部に取付けられている。即ち、表示器１４には、例えば利用者にＩＣカードの利用を案内するメッセージが表示されるようになっている。
【００１７】
制御基板１５はユニット本体１１の背面下部に取付板１５ａを介して取付けられ、リーダライタ１３及び表示器１４に接続されている。また、制御基板１５は自動販売機の主制御部（図示せず）に接続され、主制御部との間で金銭情報を送受信するようになっている。
【００１８】
各係合部材１６は、紙幣識別装置２０に係合可能な係合部１６ａを有し、係合部１６ａの先端側には傾斜面１６ｂが設けられている。また、各係合部材１６はユニット本体１１の各取付片１１ａにそれぞれ上下方向に移動自在に取付けられ、スプリング１６ｃによって紙幣識別装置２０との係合方向に付勢されている。
【００１９】
紙幣識別装置２０は、箱状に形成された装置本体２１と、装置本体２１の前面に前方に向かって延設された紙幣挿入部２２とを備え、紙幣挿入部２２の紙幣挿入口２２ａから挿入された紙幣を識別し、装置本体２１内に収容する周知の構成からなる。また、装置本体２１の上面及び下面には、リーダライタユニット１０の各係合部材１６にそれぞれ係合する係合片２３が立設されている。
【００２０】
前記リーダライタユニット１０は、図５に示すように外扉２の背面側に設けられた取付部３にユニット本体１１の各取付片１１ａをネジ１８によって締結することにより、図６に示すように外扉２の内側に取付けられる。その際、フロントカバー１２のカバー部１２ａが外扉２の開口部２ｇから外側に突出する。また、外扉２に取付けられたリーダライタユニット１０の背面側には紙幣識別装置２０が装着され、紙幣識別装置２０の紙幣挿入部２２がリーダライタユニット１０の開口部１１ｃ，１２ｃを介して外側に突出するとともに、カバー部１２ａの下方に配置される。その際、紙幣識別装置２０の各係合片２３をリーダライタユニット１０の各係合部材１６に後方から当接すると、図７に示すように各係合部材１６が係合片２３と当接する傾斜面１６ｂの案内によって係合解除方向に移動した後、係合片２３が傾斜面１６ｂを越えると、図８に示すように各係合部材１６がスプリング１６ｃによって係合方向に移動し、各係合部材１６の係合部１６ａが係合片２３の背面側に係止して紙幣識別装置２０がリーダライタユニット１０に固定される。また、紙幣識別装置２０をリーダライタユニット１０から取外す場合は、各係合部材１６を指先等で反係合方向に移動させながら紙幣識別装置２０の各係合片２３を各係合部材１６の係合部１６ａから外すことにより、紙幣識別装置２０と各係合部材１６との係合が解除される。尚、紙幣識別装置２０を装着しない場合には、図９に示すようにリーダライタユニット１０の開口部１２ｃに閉鎖部材１２ｄを取付けることにより、開口部１２ｃが閉鎖部材１２ｄによって閉鎖される。
【００２１】
このように、本実施形態によれば、リーダライタユニット１０のユニット本体１１に紙幣識別装置２０に着脱自在に係合する一対の係合部材１６を設け、紙幣識別装置２０を各係合部材１６との係合によりユニット本体１１に装着するようにしたので、ネジを用いることなく紙幣識別装置２０を着脱することができ、例えば紙幣識別装置２０を交換する場合には、紙幣識別装置２０の着脱作業を極めて容易に行うことができる。その際、ユニット本体１１を外扉２に取付けたまま紙幣識別装置２０を着脱することができるので、従来のようにネジを外すとユニット本体も外扉から外れるといった不具合を生ずることがなく、作業を煩雑化させることがないという利点がある。
【００２２】
また、各係合部材１６をユニット本体１１に上下方向に移動自在に設け、各係合部材１６をスプリング１６ｃによって紙幣識別装置２０との係合方向に付勢するようにしたので、紙幣識別装置２０との係合動作を各係合部材１６の移動によって行うことができ、紙幣識別装置２０をユニット本体１１に確実に装着することができる。
【００２３】
更に、カバー部１２ａの下方に紙幣識別装置２０の紙幣挿入部２２を挿通する開口部１１ｃ，１２ｃを設けたので、紙幣挿入部２２の上方をカバー部１２ａによって覆うことができ、紙幣挿入部２２に雨水が直接降りかかることがないという利点がある。
【００２４】
また、紙幣挿入部２２を挿通するための開口部１２ｃを閉鎖可能な閉鎖部材１２ｄを着脱自在に設けたので、紙幣識別装置２０を装着しない場合には、開口部１２ｃを閉鎖部材１２ｄによって閉鎖することができ、開口部１２ｃへの塵埃、雨水、異物等の侵入を確実に防止することができる。
【００２５】
更に、フロントカバー１２のカバー部１２ａ内にリーダライタ１３のアンテナ１３ａ及び回路基板１３ｂを配置するようにしたので、アンテナ１３ａと回路基板１３ａとの間の配線を短くすることができ、配線が外部から受けるノイズを少なくすることができる。
【００２６】
また、カバー部１２ａ内の背面側に電磁波遮断用のシールド部材１７を設けたので、紙幣識別装置２０側からカバー部１２ａ内のリーダライタ１３への電磁波を遮断することができ、電磁波によるＩＣカードとリーダライタ１３との間の送受信不良を確実に防止することができる。
【００２７】
更に、ユニット本体１１にリーダライタ１３用の制御基板１５を取付けるようにしたので、リーダライタ１３と制御基板１５との間の配線を短くすることができ、配線が外部から受けるノイズを少なくすることができる。
【００２８】
尚、前記実施形態では、紙幣識別装置２０と係合する各係合部材１６をユニット本体１１に上下方向に移動自在に設けたものを示したが、ユニット本体１１に係合解除方向に弾性変形可能な係合部を設けるようにしてもよい。
【図面の簡単な説明】
【００２９】
【図１】本発明の一実施形態を示すリーダライタユニットを備えた自動販売機の正面図
【図２】リーダライタユニット及び紙幣識別装置の斜視図
【図３】リーダライタユニット及び紙幣識別装置の一部断面側面図
【図４】リーダライタユニットのブロック図
【図５】外扉への取付工程を示す一部断面側面図
【図６】外扉への取付状態を示す一部断面側面図
【図７】紙幣識別装置の装着工程を示す一部断面側面図
【図８】紙幣識別装置の装着状態を示す一部断面側面図
【図９】閉鎖部材を取付けた状態を示す一部断面側面図
【符号の説明】
【００３０】
２…外扉、２ｇ…開口部、１０…リーダライタユニット、１１…ユニット本体、１１ｃ…開口部、１２ａ…カバー部、１２ｃ…開口部、１２ｄ…閉鎖部材、１３…リーダライタ、１３ｂ…回路基板、１５…制御基板、１６ａ…係合部、１６ｃ…スプリング、１７…シールド部材、２０…紙幣識別装置、２２…紙幣挿入部。
【図１】
2007172109.tif 000003
【図２】
2007172109.tif 000004
【図３】
2007172109.tif 000005
【図４】
2007172109.tif 000006
【図５】
2007172109.tif 000007
【図６】
2007172109.tif 000008
【図７】
2007172109.tif 000009
【図８】
2007172109.tif 000010
【図９】
2007172109.tif 000011